(57)【特許請求の範囲】
【請求項１】
相互に縫合された８枚の布を有するズボン型衣類であって、
前記縫合された８枚の布が、それぞれが、ウエスト用の開口端部から両膝部のそれぞれの前側を経由して裾部まで延在する一対の第１縫合部と、それぞれが、前記開口端部から両膝部のそれぞれの外側を経由して裾部まで延在する一対の第２縫合部と、一方が、前記開口端部から尻部のうちの左側領域と左側の膝部の後側を経由して裾部まで延在し、他方が、前記開口端部から尻部のうちの右側領域と右側の膝部の後側を経由して裾部まで延在する一対の第３縫合部と、それぞれが、股部から両膝部のそれぞれの内側を経由して裾部まで延在する一対の第４縫合部と、股部から前記開口端部の後側まで延在する縫合部と、股部から前記開口端部の前側まで延在する仮想線上の少なくとも一部に形成された縫合部とを備え、
各第１縫合部は、胴体部と足部の間で、前側に対して凹形状を成し、膝部で、前側に対して凸形状を成し、
各第２縫合部は、前記開口端部から裾部に向かって、少なくとも膝部までは前側に傾斜し、
各第３縫合部は、尻部で、後側に対して凸形状を成し、膝部で、後側に対して凹形状を成し、
各第４縫合部は、股部から裾部に向かって、少なくとも膝部までは前側に傾斜したことを特徴とするズボン型衣類。
【請求項２】
裾部の後側を人体のふくらはぎの最大囲部より上側とし、
各第２縫合部は、膝部から裾部に向かって、前側に傾斜し、
各第４縫合部は、膝部から裾部に向かって、前側に傾斜した請求項１に記載のズボン型衣類。
【請求項３】
裾部の後側を人体のふくらはぎの最大囲部より下側とし、
各第２縫合部は、人体の膝の外側横部から裾部に位置するアキレス腱に向かう斜め後側方向に沿っていくように、膝部から裾部に向かって後側に傾斜し、
各第４縫合部は、人体の膝の内側横部から裾部に位置するアキレス腱に向かう斜め後側方向に沿っていくように、膝部から裾部に向かって後側に傾斜した請求項１に記載のズボン型衣類。
【請求項４】
後側から前側に向かって下側に傾斜するように裾部を形成した請求項２に記載のズボン型衣類。
【請求項５】
後側から前側に向かって上側に傾斜するように裾部を形成した請求項３に記載のズボン型衣類。
【発明の詳細な説明】
【技術分野】
【０００１】
本発明は、ズボン型衣類に関する。
【背景技術】
【０００２】
従来、スラックス、ズボン下等の布製のズボン型衣類は、２枚接ぎ又は４枚接ぎで製造されている（特許文献１参照）。
【先行技術文献】
【特許文献】
【０００３】
【特許文献１】特許第３４８１５７７号公報
【発明の概要】
【発明が解決しようとする課題】
【０００４】
しかし、布製のズボン型衣類が２枚又は４枚接ぎの場合には、次のような問題があった。
【０００５】
すなわち、人体の下半身の一部位（例えば尻）の窮屈感を低減させるために、この部位に横方向に余裕をもたせると、布地の形状が連続しているため他の部位にも余裕を持たせることになる。しかし、他の部位では、この余裕が人体に対して過剰なものとなり、だぶつき感を生じたり、皺のためにごわつき感を生じたりする。
【０００６】
また、人体の下半身を屈曲させた場合に、尻や膝につっぱり感を生じやすいため、人体の下半身の動作に対する追従性も良好ではなかった。
【０００７】
本発明は、上記事情に鑑み、適度なフィット感を付与することが可能で人体の動作に対する追従性を良好とすることが可能なズボン型衣類を提供することを課題とする。
【課題を解決するための手段】
【０００８】
前記課題を解決するため、本発明のズボン型衣類は、相互に縫合された８枚の布を有するズボン型衣類であって、前記縫合された８枚の布が、それぞれが、ウエスト用の開口端部から両膝部のそれぞれの前側を経由して裾部まで延在する一対の第１縫合部と、それぞれが、前記開口端部から両膝部のそれぞれの外側を経由して裾部まで延在する一対の第２縫合部と、一方が、前記開口端部から尻部のうちの左側領域と左側の膝部の後側を経由して裾部まで延在し、他方が、前記開口端部から尻部のうちの右側領域と右側の膝部の後側を経由して裾部まで延在する一対の第３縫合部と、それぞれが、股部から両膝部のそれぞれの内側を経由して裾部まで延在する一対の第４縫合部と、股部から前記開口端部の後側まで延在する縫合部と、股部から前記開口端部の前側まで延在する仮想線上の少なくとも一部に形成された縫合部とを備え、各第１縫合部は、胴体部と足部の間で、前側に対して凹形状を成し、膝部で、前側に対して凸形状を成し、各第２縫合部は、前記開口端部から裾部に向かって、少なくとも膝部までは前側に傾斜し、各第３縫合部は、尻部で、後側に対して凸形状を成し、膝部で、後側に対して凹形状を成し、各第４縫合部は、股部から裾部に向かって、少なくとも膝部までは前側に傾斜したことを特徴とする。
【０００９】
ここで、布とは、織物だけでなく、経編生地、丸編生地も含むものとする。
【００１０】
また、股部を基点とする縫合部及び仮想線は、股部で厳密に１点で結合していなくてもよく、縫合の方法等により、股部における結合位置が多少ずれていてもよい。
【００１１】
この構成によれば、各縫合部と各布の形状を調整することにより、人体の下半身の一部位（例えば尻）の窮屈感を低減させると共に、他の部位では、だぶつき感やごわつき感を抑制することが可能となる。これにより、適度なフィット感を付与することができる。
【００１２】
また、両膝部のそれぞれの前側を経由する縫合部と、尻部の両側のそれぞれを経由する縫合部との形状を調整することにより、下半身を屈曲させた場合に、尻や膝のつっぱり感を抑制することが可能となる。これにより、人体の動作に対する追従性を良好とすることができる。
【００１５】
上記構成において、裾部の後側を人体のふくらはぎの最大囲部より上側とし、各第２縫合部は、膝部から裾部に向かって、前側に傾斜し、各第４縫合部は、膝部から裾部に向かって、前側に傾斜してもよい。更に、後側から前側に向かって下側に傾斜するように裾部を形成してもよい。
【００１６】
この構成によれば、脚を屈曲させた場合に、膝の前側では、裾部が上がって肌を圧迫することを抑制でき、膝の後側では、布が肌を圧迫することを抑制できる。これにより、適度なフィット感を付与する効果や人体の動作に対する追従性を良好とする効果を更に向上することができる。
【００１７】
上記構成において、裾部の後側を人体のふくらはぎの最大囲部より下側とし、各第２縫合部は、人体の膝の外側横部から裾部に位置するアキレス腱に向かう斜め後側方向に沿っていくように、膝部から裾部に向かって後側に傾斜し、各第４縫合部は、人体の膝の内側横部から裾部に位置するアキレス腱に向かう斜め後側方向に沿っていくように、膝部から裾部に向かって後側に傾斜してもよい。更に、後側から前側に向かって上側に傾斜するように裾部を形成してもよい。
【００１８】
この構成によれば、脚を屈曲させた場合に、布がふくらはぎを圧迫することを抑制できるため、ふくらはぎのつっぱり感を抑制することができる。これにより、適度なフィット感を付与する効果や人体の動作に対する追従性を良好とする効果を更に向上することができる。
【発明の効果】
【００１９】
本発明によれば、適度なフィット感を付与することが可能で人体の動作に対する追従性を良好とすることが可能なズボン型衣類を提供することができる。
【図面の簡単な説明】
【００２０】
【図１】本発明の第１実施形態に係るズボン型衣類の着用された状態を模式的に示した図で、（Ａ）が正面図、（Ｂ）が側面図である。
【図２】本発明の第１実施形態に係るズボン型衣類の右側部分の着用された状態を模式的に示した図で、（Ａ）が左斜め前からの斜視図、（Ｂ）が右斜め前からの斜視図、（Ｃ）が右斜め後からの斜視図、（Ｄ）が左斜め後ろからの斜視図である。
【図３】図２の布を平面状にした展開図である。
【図４】本発明の第２実施形態に係るズボン型衣類の着用された状態を模式的に示した図で、（Ａ）が正面図、（Ｂ）が側面図である。
【図５】本発明の第２実施形態に係るズボン型衣類の右側部分の着用された状態を模式的に示した図で、（Ａ）が左斜め前からの斜視図、（Ｂ）が右斜め前からの斜視図、（Ｃ）が右斜め後からの斜視図、（Ｄ）が左斜め後ろからの斜視図である。
【図６】図５の布を平面状にした展開図である。
【発明を実施するための形態】
【００２１】
以下、本発明を実施するための形態について図面に基づき説明する。
【００２２】
図１，２を参照して、本発明の第１実施形態に係るズボン型衣類の着用された状態を説明する。本実施形態では、ズボン型衣類は、ズボン下の一種の所謂「すててこ」である。
【００２３】
ズボン型衣類は、胴体部１と２つの脚部２を主要な構成要素とする。
【００２４】
胴体部１は、人体の胴体に対応する部位であり、その上端にウエスト用の開口端部３を有し、その下端中央に人体の股に対応する股部４を有する。また、胴体部１の後側は、人体の尻に対応する尻部５である。開口端部３は、前側に比較して後側が上側となるように構成されている。なお、図示は省略するが、本実施形態では、胴囲方向に収縮性の良好な均一幅の帯状部材が開口端部３に取り付けられている。
【００２５】
脚部２は、人体の脚に対応する部位であり、その下端に裾部６を有し、また、人体の膝（膝裏を含むものとする）に対応する膝部７を有する。本実施形態では、裾部６の後側は、人体のふくらはぎの最大囲部より上側である。裾部６は、後側から前側に向かって下側に傾斜するように形成されている。膝部７は、膝を少し曲げた状態に合わせた立体的な形状となっている。
【００２６】
ズボン型衣類は、相互に縫合された８枚の布Ａ〜Ｄ及びその縫合部Ｌ１〜Ｌ６を有している。なお、ズボン型衣類において左右対称な形状の布と縫合部には、同一符号を付して説明する。
【００２７】
布Ａ〜Ｄは、本実施形態では、織物であり、例えばクレープ、平織等である。
【００２８】
縫合部Ｌ１は、両膝部７のそれぞれの前側を経由してウエスト用の開口端部３から裾部６まで延在する。すなわち、縫合部Ｌ１は、布Ａと布Ｂを縫合する。詳述すれば、図１（Ｂ）に示すように、縫合部Ｌ１は、胴体部１と脚部２との間周辺では、前側に対して凹形状を成し、膝部７周辺では、前側に対して凸形状を成している。
【００２９】
縫合部Ｌ２は、両膝部７のそれぞれの外側を経由して開口端部３から裾部６まで延在する。すなわち、縫合部Ｌ２は、布Ｂと布Ｃを縫合する。詳述すれば、縫合部Ｌ２は、開口端部３から裾部６に向かって、前側に傾斜している。また、縫合部Ｌ２は、前側に凸となるように緩やかに湾曲している。
【００３０】
縫合部Ｌ３は、尻部５の両側のそれぞれを経由して開口端部３から裾部６まで延在する。すなわち、縫合部Ｌ３は、布Ｃと布Ｄを縫合する。詳述すれば、図１（Ｂ）に示すように、縫合部Ｌ３は、尻部５では、後側に対して凸形状を成し、膝部７周辺では、後側に対して凹形状を成している。
【００３１】
縫合部Ｌ４は、両膝部７のそれぞれの内側を経由して股部４から裾部６まで延在する。すなわち、縫合部Ｌ４は、布Ｄと布Ａを縫合する。更に、詳述すれば、縫合部Ｌ４は、股部４から裾部６に向かって、前側に傾斜している。
【００３２】
縫合部Ｌ５は、股部４から開口端部３の後側まで延在する。すなわち、縫合部Ｌ５は、左右の布Ｄを縫合する。
【００３３】
縫合部Ｌ６は、股部４から開口端部３の前側まで延在する仮想線Ｌ７上の少なくとも一部に形成されている。すなわち、縫合部Ｌ６は、左右の布Ａを縫合する。本実施形態では、仮想線Ｌ７上の中間部に、小用を足すための開口部８が設けられており、縫合部Ｌ６は仮想線Ｌ７上の両端部である。
【００３４】
布Ａ〜Ｄにおいて、図３に両矢印ａ〜ｄで示す方向に、縦糸が延在している。縫合部Ｌ１〜Ｌ６，仮想線Ｌ７のそれぞれにおける少なくとも一部が、縦糸の延在方向に対して斜めとなっている。すなわち、縫合部Ｌ１〜Ｌ６，仮想線Ｌ７のそれぞれにおける少なくとも一部が、布Ａ〜Ｄの布目に対してバイアス方向に延在している。
【００３５】
図３において、布Ａ〜Ｄの間で、ハッチングで示す部位Ｇ１〜Ｇ３は、出願人の従来の４枚接ぎの「すててこ」の場合と比較してカットされた部位である。すなわち、この部位は、横方向に余分な余裕を発生させていた部位である。
【００３６】
以上の構成により、本実施形態では以下の効果を享受できる。
【００３７】
８枚の布Ａ〜Ｄと縫合部Ｌ１〜Ｌ６，仮想線Ｌ７の形状により、人体の尻の窮屈感を低減させると共に、他の部位では、だぶつき感やごわつき感を抑制することが可能となる。これにより、適度なフィット感を付与することができる。
【００３８】
この効果については、具体的には、特に、次の構成によるところが大きい。すなわち、縫合部Ｌ３は、尻部５では、後側に対して凸形状を成していることと、図３に示すように、布Ａ〜Ｄの形状では、従来品と比較して横方向に余分な余裕を生じる部位Ｇ１〜Ｇ３がカットされていることである。
【００３９】
一方、縫合部Ｌ１〜Ｌ４の形状により、下半身を屈曲させた場合に、尻や膝のつっぱり感を抑制することが可能となる。これにより、人体の動作に対する追従性を良好とすることができる。
【００４０】
この効果について詳述すると次のようになる。縫合部Ｌ１は、胴体部１と脚部２との間周辺で、前側に対して凹形状を成し、縫合部Ｌ３は、尻部５で、後側に対して凸形状を成している。これにより、下半身を屈曲させた場合に、尻のつっぱり感が抑制される。また、胴体部１と脚部２との間の前側周辺で、脚の根元の圧迫感が抑制される。
【００４１】
また、縫合部Ｌ１は、膝部７周辺で、前側に対して凸形状を成し、縫合部Ｌ３は、膝部７周辺で、後側に対して凹形状を成している。縫合部Ｌ２は、開口端部３から裾部６に向かって、前側に傾斜しており、縫合部Ｌ４は、股部４から裾部６に向かって、前側に傾斜している。これにより、膝部７は、前側が丸みを帯びた凸形状となり、その後側が凹形状となり、膝部７は、膝を少し曲げた状態に合わせた立体的な形状となる。このため、膝を屈曲させた場合に、膝の前側のつっぱり感が抑制され、また、膝部７の後側の圧迫感が抑制される。
【００４２】
縫合部Ｌ１〜Ｌ６，仮想線Ｌ７のそれぞれにおける少なくとも一部が、布Ａ〜Ｄの布目に対してバイアス方向に延在している。これにより、布Ａ〜Ｄに対して伸縮性を付与することが可能となるので、適度なフィット感を付与する効果や人体の動作に対する追従性を良好とする効果を向上することができる。
【００４３】
裾部６は、後側から前側に向かって下側に傾斜するように形成されている。これにより、膝を屈曲させた場合に、膝の前側では、裾部６が上がって肌を圧迫することを抑制でき、膝の後側では、布が肌を圧迫することを抑制できる。このため、適度なフィット感を付与する効果や人体の動作に対する追従性を良好とする効果を更に向上することができる。
【００４４】
開口端部３は、前側に比較して後側が上側となるように構成されている。これにより、しゃがんだ場合に、下着の後側や尻が露出することを抑制できる。
【００４５】
図４，５を参照して、本発明の第２実施形態に係るズボン型衣類の着用された状態を説明する。本実施形態では、ズボン型衣類は、所謂「スラックス」である。なお、第１実施形態と略同様の構成・効果については説明を省略し、第１実施形態と異なる構成・効果について以下説明する。
【００４６】
図示は省略するが、本実施形態では、布Ａ〜Ｄと同様の布地である均一幅の帯状の布が開口端部３に取り付けられている。この帯状布は、仮想線Ｌ７の延長線付近に両端部を有し、両端部を相互に着脱可能にするための止め具が、両端部には取り付けられている。また、開口端部３付近の布との間でベルトを挿通するための穴を設けるための小片の布が、胴囲方向に断続的に開口端部３付近の布に取り付けられている。
【００４７】
本実施形態では、仮想線Ｌ７上の下端部の近くから上端部にかけて、ズボン型衣類の着脱を可能にするためのファスナー９が取り付けられており、縫合部Ｌ６は仮想線Ｌ７上の下端部である。
【００４８】
本実施形態では、裾部６の後側は、人体のふくらはぎの最大囲部より下側である。裾部６は、後側から前側に向かって上側に傾斜するように形成されている。
【００４９】
縫合部Ｌ２は、開口端部３から裾部６に向かって、膝部７周辺までは前側に傾斜しており、膝部７周辺から裾部６までは、後側に傾斜している。詳述すれば、縫合部Ｌ２は、人体の膝の外側横部から裾部６に位置するアキレス腱に向かう斜め後側方向に沿っていくようにラインを構成している。
【００５０】
縫合部Ｌ４も、股部４から裾部６に向かって、膝部７周辺までは前側に傾斜しており、膝部７周辺から裾部６までは、後側に傾斜している。詳述すれば、縫合部Ｌ４は、人体の膝の内側横部から裾部６に位置するアキレス腱に向かう斜め後側方向に沿っていくようにラインを構成している。
【００５１】
図６については、図３と同様の構成要素に同一の符号を付し、その説明を省略する。
【００５２】
以上の構成により、本実施形態では以下の効果を享受できる。
【００５３】
一般のズボン型衣類では、丈が長く裾部が人体のふくらはぎの最大囲部より下側にある場合には、下半身を屈曲した場合、ふくらはぎにつっぱり感が生じる。これに対して、本実施形態では、次の構成により、下半身を屈曲させた場合にふくらはぎのつっぱり感を抑制することができ、これにより適度なフィット感を付与することや人体の動作に対する追従性を良好とすることができる。すなわち、縫合部Ｌ２が、人体の膝の外側横部から裾部６に位置するアキレス腱に向かう斜め後側方向に沿っていくようにラインを構成していることである。また、縫合部Ｌ４が、人体の膝の内側横部から裾部６に位置するアキレス腱に向かう斜め後側方向に沿っていくようにラインを構成していることである。そして、裾部６が、後側から前側に向かって上側に傾斜するように形成されていることである。
【００５４】
なお、上記実施形態での説明では、縫合部Ｌ４〜Ｌ６は、股部４において全て１点で結合している説明となっているが、これは図１〜６が模式的な図であるためであり、実際には、縫合の方法等により、股部４における結合位置が多少ずれており、１点ではなく、例えば２点で結合する場合がある。
【００５５】
上記第１実施形態及び第２実施形態では、布Ａ〜Ｄは、織物であり、上記実施形態で説明したズボン型衣類の構成による適度なフィット感を付与する効果や人体の動作に対する追従性を良好とする効果が得られている。また、布Ａ〜Ｄは、伸縮性のある経編生地であっても丸編生地であってもよい。布Ａ〜Ｄが伸縮性のある経編生地や丸編生地の場合は、織物に比較して伸縮性が大きいので、適度なフィット感を付与する効果や人体の動作に対する追従性を良好とする効果がより一層向上する。
【００５６】
上記実施形態では、ズボン型衣類として「すててこ」「スラックス」を例に説明したが、本発明は、これに限定されるものではなく、例えば、ジーンズ等に適用してもよく、トレーニングパンツ、タイツ等に適用してもよい。また、「すててこ」に必ずしも開口部８は必要ではなく、開口部８を設けない場合には、縫合部Ｌ６は仮想線Ｌ７上の全部に形成される。
【００５７】
本発明は上記実施形態に限定されることなく、その技術的思想の範囲内であれば、様々な変形が可能である。
【符号の説明】
【００５８】
１    胴体部
２    脚部
３    開口端部
４    股部
５    尻部
６    裾部
７    膝部
８    開口部
９    ファスナー
Ａ〜Ｄ  布
Ｌ１〜Ｌ６  縫合部
Ｌ７  仮想線
【図１】
0005507183.tif 000002
【図２】
0005507183.tif 000003
【図３】
0005507183.tif 000004
【図４】
0005507183.tif 000005
【図５】
0005507183.tif 000006
【図６】
0005507183.tif 000007